(57)【要約】【課題】  簡単な構成により、蓋体と容器本体との係合を容易に解除し、蓋体を簡単に開けることのできる蓋付き容器を創出することを課題とする。【解決手段】  開口端（１０Ａ）を形成する容器側周壁（１２）の外周面に被係止部（１４）が形成された容器本体（１０）と、容器側周壁（１２）に嵌合する蓋側周壁（２２）の内周面に被係止部（１４）に係合する係止部（２４）を有して開口端（１０Ａ）に装着されると蓋体（２０）を備える蓋付き容器であって、蓋側周壁（２２）に、径方向外側に向けて変形可能な変形部（３０）が設けられている構成とする。【選択図】  図２
2019189335.tif 000002
【特許請求の範囲】
【請求項１】
開口端（１０Ａ）を形成する容器側周壁（１２）の外周面に被係止部（１４）が形成された容器本体（１０）と、前記容器側周壁（１２）に嵌合する蓋側周壁（２２）の内周面に前記被係止部（１４）に係合する係止部（２４）を有して前記開口端（１０Ａ）に装着されると蓋体（２０）を備える蓋付き容器であって、
前記蓋側周壁（２２）に、径方向外側に向けて変形可能な変形部（３０）が設けられていることを特徴とする蓋付き容器。
【請求項２】
容器本体（１０）及び蓋体（２０）は共に長手方向に沿う長辺と前記長手方向と直交する短手方向に沿う短辺とを有して平面視長方形状に形成されており、前記短辺側に係止部（２４）が形成され、前記長辺側に変形部（３０）が形成されている請求項１記載の蓋付き容器。
【請求項３】
変形部（３０）が、対向配置された一対の長辺で且つ前記長各辺の中央部を挟んで間隔を設けた２箇所の位置に夫々形成されている請求項２記載の蓋付き容器。
【請求項４】
変形部（３０）が、高さ方向の上端部を支点として下端側が開くように構成されている請求項１乃至３のいずれか一項に記載の蓋付き容器。
【請求項５】
変形部（３０）が、弾性変形可能に構成されている請求項１乃至４のいずれか一項に記載の蓋付き容器。
【発明の詳細な説明】
【技術分野】
【０００１】
本発明は、蓋体と容器本体との係合を容易に解除し、蓋体を容器本体から取り外す際の操作性を向上させる蓋付き容器に関する。
【背景技術】
【０００２】
特許文献１に記載の容器は、容器本体１１と蓋体１２の少なくとも一方に、揺動自在に一体連結されると共に引き起こしにより容器の吊り下げを可能とする吊下げ部３を備える構成とすることにより、冷蔵庫の収納部内のデットスペースを有効活用できるようにしたというものである。
特許文献１に記載の容器では、容器本体１１側の周壁部１４の上部に設けられた嵌合壁１７外面には全周に亘ってまたは間欠的に嵌合リブ１９が形成され、また蓋体１２側の垂下壁２２の内面にも図示しない嵌合リブが形成されており、これら容器本体１１側の嵌合リブ１９と蓋体１２側の嵌合リブとを嵌合させることにより閉塞状態とすることが可能となっている。
【先行技術文献】
【特許文献】
【０００３】
【特許文献１】特開２０１７−８１６３４号公報
【発明の概要】
【発明が解決しようとする課題】
【０００４】
しかし、上記特許文献１に記載の蓋付き容器においては、蓋体を容器本体に嵌合させた閉塞状態から、蓋体を取り外す際の操作性に改善の余地があった。
【０００５】
本発明は、上記した従来技術における問題点を解消すべく、簡単な構成により、蓋体と容器本体との係合を容易に解除し、蓋体を容器本体から取り外す際の操作性を向上させた蓋付き容器を創出することを課題とする。
【課題を解決するための手段】
【０００６】
上記課題を解決するための手段のうち、本発明の主たる手段は、
開口端を形成する容器側周壁の外周面に被係止部が形成された容器本体と、容器側周壁に嵌合する蓋側周壁の内周面に被係止部に係合する係止部を有して開口端に装着されると蓋体を備える蓋付き容器であって、蓋側周壁に、径方向外側に向けて変形可能な変形部が設けられていることを特徴とする、と云うものである。
本発明の主たる手段では、容器本体に嵌合している蓋体を持ち上げると、蓋体の蓋側周壁に設けられている変形部を変形させることができるため、蓋体側の係止部と容器本体側の被係止部の係合を容易に解除することができる。
【０００７】
また本発明の他の手段は、主たる手段に、容器本体及び蓋体は共に長手方向に沿う長辺と長手方向と直交する短手方向に沿う短辺とを有して平面視長方形状に形成されており、短辺側に係止部が形成され、長辺側に変形部が形成されている、との手段を加えたものである。
上記手段では、短辺側に設けた係止部と長辺側に設けられた被係止部との係合によって容器本体と蓋体との嵌合を達成し、長辺側に設けた変形部によって係止部と被係止部との係合を解いて開蓋を達成し得る。
【０００８】
また本発明の他の手段は、上記手段に、変形部が、対向配置された一対の長辺で且つ長各辺の中央部を挟んで間隔を設けた２箇所の位置に夫々形成されている、との手段を加えたものである。
上記手段では、長手方向の左右両側において容器本体と蓋体との間における係合を達成できると共に、左右両側のいずれか又は両方の係合を解除することで開蓋を達成し得る。
【０００９】
また本発明の他の手段は、上記いずれかの手段に、変形部が、高さ方向の上端部を支点として下端側が開くように構成されている、との手段を加えたものである。
上記手段では、片手で操作するだけで、蓋側周壁に形成されている変形部が略扇状に開いて蓋体を変形させることが可能となるため、係止部と被係止部との係合を簡単に解除することができる。
【００１０】
また本発明の他の手段は、上記いずれかの手段に、変形部が、弾性変形可能に構成されている、との手段を加えたものである。
上記手段では、また開蓋後に蓋体から指を離すと、弾性変形していた変形部が元の閉じた状態に復元しようとするため、蓋体を元の閉じた状態に戻す操作を行わなくとも蓋体を閉じることができる。
【発明の効果】
【００１１】
本発明は、上記した構成となっているので、以下に示す効果を奏する。
蓋側周壁に変形部を設けるという簡単な構成により、蓋体と容器本体との係合を容易に解除することが可能となるため、蓋体を容器本体から取り外す際の操作性を向上させることができる。
【図面の簡単な説明】
【００１２】
【図１】本発明の第１実施例を示す蓋付き容器の平面図である。
【図２】第１実施例の蓋付き容器を長辺側から示す半断面図である。
【図３】開蓋時の動作を示す図２同様の半断面図である。
【図４】本発明の第２実施例を示す蓋付き容器の平面図である。
【図５】第２実施例の蓋付き容器を長辺側から示す半断面図である。
【図６】本発明の第３実施例を示す蓋付き容器の平面図である。
【図７】第３実施例の蓋付き容器を長辺側から示す半断面図である。
【発明を実施するための形態】
【００１３】
以下、本発明の実施の形態について図面を参照しつつ説明する。
本発明の蓋付き容器は、例えばバター、マーガリン、ピーナッツバター等の内容物、あるいはウエットテッシュ、掃除用のウエットペーパー等の内容物を収容するための容器であり、例えば合成樹脂製の薄いシートを加熱軟化させ後、シートと金型との空間を真空状態にして金型に密着させることにより成形されるものである（シート成形）が、その他、薄肉のインジェクション成形などその他の方法で成形されるものであっても良い。
尚、以下においては、平面視略直方形状からなる蓋付き容器の長辺に沿う図示横方向を長手方向とし、短辺に沿う図示縦方向を短手方向として説明する。
【００１４】
最初に、本発明の第１実施例について図１乃至３を参照しつつ説明する。
本発明の第１実施例として示す蓋付き容器は、内容物を収容する容器本体１０と、この容器本体１０の開口端１０Ａに嵌合する状態で装着されて容器本体１０を閉蓋状態に設定可能な蓋体２０とを有して構成されている。
【００１５】
容器本体１０は、角部に丸みを持たせて形成された平面視略長方形状の底壁１１と、この底壁１１の四辺（２つの短辺と２つの長辺）から上方に連設されて上端に開口端１０Ａを形成する容器側周壁１２と、開口端１０Ａに周設されたフランジ部１３とを有して形成されている。フランジ部１３の先端は径方向外側に向かって突出する被係止部１４とされている。尚、明細書における径方向外側とは、容器本体１０の内部中心を基準としてフランジ部１３側に向かう方向を意味する。
【００１６】
蓋体２０は、角部に丸みを持たせて形成された平面視略長方形状の頂壁２１と、この頂壁２１の四辺（左右の短辺と前後の長辺）から垂下設された蓋側周壁２２とを有して構成され、蓋側周壁２２の下端は複数の段差から成る段差部２３が設けられている。蓋側周壁２２を構成する段差部２３の内周面の４箇所の位置には、容器本体１０側のフランジ部１３の被係止部１４に対して係合可能な係止部２４が形成されている。図２及び図３に示すように、この係止部２４は断面略コの字形状を有して形成されており、容器本体１０側のフランジ部１３の先端に突設された被係止部１４に係合することが可能となっている。
【００１７】
また長辺側の前側（正面側）の蓋側周壁２２上で、中央部を挟んで左右に間隔を設けた２箇所の位置（蓋体２０の角部近傍の位置）には、変形部３０が夫々形成されており、この変形部３０は短手方向において対向する後側（背面側）の蓋側周壁２２にも同様に形成されている（全部で４箇所）。
図２に示すように、第１実施例に示す変形部３０は、蓋側周壁２２及び段差部２３の一部を波状に成形した蛇腹３１によって構成され、蓋側周壁２２上に段差部２３を高さ方向に横断する形で配置されている。また変形部３０は、下部側の蛇腹３１の波長の方が、上部の蛇腹３１よりも長い波長となるように構成されると共に全体が平面視略二等辺三角形状（又は略扇状）に形成されており、図３に示すように、変形部３０は弾性変形可能であり、略二等辺三角形の高さ方向の上端部の頂点部Ａを支点として下端側となる略二等辺三角形の底辺ＢＣ側が長手方向（径方向外側）に沿って略扇状に大きく開くことができるように構成されている。
【００１８】
図２に示すように、蓋体２０を容器本体１０の開口端１０Ａに装着して下方に押し込むと、４箇所の位置において蓋体２０側の係止部２４が容器本体１０側の被係止部１４を乗り越えて夫々係合することにより、蓋体２０と容器本体１０とが嵌合する閉蓋状態に設定することができる。
【００１９】
次に、蓋体２０を開く開蓋状態にするには、図３に示すように、蓋体２０の頂壁２１の中央部近傍を、例えば第１の指（親指を除く４本の指又はこれらのいずれかの指）以下同様Ｆ１で押しながら、少なくとも一方の短辺側の蓋側周壁２２の下端を第２の指（親指、以下同様）Ｆ２で持ち上げる操作を行う。すると、変形部３０が上部側の頂点部Ａを支点として底辺ＢＣ側が長手方向に略扇状に大きく開き、蓋体２０は上方に向かって弾性変形するので、操作を行った一方の短辺側において蓋体２０側の係止部２４と容器本体１０側の被係止部１４との係合を容易に解除することができる。よって、蓋体２０をそのまま持ち上げることにより開蓋状態とすることができる。このように、本発明の蓋付き容器では、片手の操作だけで簡単に開蓋状態とすることが可能である。
また開蓋後に蓋体２０から指を離すと、略扇状に開いていた蛇腹３１が復元変形して元の閉じた状態（図２参照）に戻るため、蓋体２０を元の閉じた状態に戻すための操作を不要にできる。
【００２０】
次に、本発明の第２実施例について図４及び図５を参照しつつ説明する。
第２実施例に示す蓋付き容器が、上記第１実施例と異なる点は変形部３０の構成にあり、その他の構成及び効果は上記第１実施例同様である。よって、以下においては主として上記第１実施例と異なる点について説明する。
第２実施例に示す変形部３０は、蓋側周壁２２の一部を、段差部２３を高さ方向に渡って横断する凹部３２で構成したものである。このように変形部３０を凹部３２で形成した場合には、蓋側周壁２２側に変形部３０が突出しない構成とすることができる。尚、変形部３０を凸部で構成とすることも可能である。
【００２１】
第２実施例に示す蓋付き容器においても上記第１実施例同様に、図５において実線で示す閉蓋状態から蓋体２０の頂壁２１の中央部近傍を、例えば第１の指Ｆ１で押しながら、少なくとも一方の短辺側の蓋側周壁２２の下端を第２の指Ｆ２で持ち上げることにより、蓋体２０を破線で示すように弾性変形させることができる。
すなわち、蓋側周壁２２の下端を第２の指Ｆ２で持ち上げると、凹部３２で形成された変形部３０が長手方向に伸張して略扇状に開くように変形する。よって、蓋体２０上方に向かって変形するので、蓋体２０側の係止部２４と容器本体１０側の被係止部１４との係合が解除され、片手の操作だけで簡単に開蓋状態とすることが可能となる。
また第１実施例同様に、開蓋後に蓋体２０から指を離すと、略扇状に開いていた凹部３２が復元変形して元の閉じた状態に戻るため、蓋体２０を元の閉じた状態（図５の実線参照）に戻すための操作を不要にできる。
【００２２】
次に、本発明の第３実施例について図６及び図７を参照しつつ説明する。
第３実施例に示す蓋付き容器が、上記第１及び第２実施例と異なる点も変形部３０の構成にあり、その他の構成及び効果は上記第１又は第２実施例同様である。よって、以下においては主として上記第１又は第２実施例と異なる点について説明する。
第３実施例に示す変形部３０は、蓋側周壁２２の一部を、段差部２３を高さ方向に切り欠いたスリット３３で形成したものである。
第３実施例に示す蓋付き容器においても上記第１及び第２実施例同様に、図７において実線で示す閉蓋状態から蓋体２０を破線で示すように変形させることができる。
すなわち、蓋側周壁２２の下端を第２の指Ｆ２で持ち上げると、蓋体２０側の頂壁２１が略「く」の字形状（図７の破線参照）に変形すると共に、蓋側周壁２２に設けられた変形部３０はスリット３３が長手方向に開くように変形する。特に変形部３０は長手方向に略扇状に開いて蓋体２０が上方に向かって変形する。よって、上記同様に蓋体２０側の係止部２４と容器本体１０側の被係止部１４との係合が解除され、片手の操作だけで簡単に開蓋状態とすることができる。
また第３実施例では、略「く」の字形状に変形していた頂壁２１の復元力によって、蓋体２０は元の閉じた状態（図７の実線参照）に戻る。あるいは、蓋体２０の変形した部分の自重や操作者の操作によって蓋体２０を元の閉じた状態（図７の実線参照）に戻すようにしても良い。
【００２３】
以上、実施例に沿って本発明の構成とその作用効果について説明したが、本発明の実施の形態は上記実施例に限定されるものではない。
例えば、上記第１乃至第３実施例では、対向配置された係止部及び被係止部を、長手方向左右両側の短辺の２箇所に設けた場合を示して説明したが、本発明は上記各実施例に限定されるものではなく、長手方向のいずれか一方の短辺にのみ設けられる構成でもよく、さらには１箇所以上に設けられる構成であれば良い。
【００２４】
上記第１乃至第３実施例では、第１の指Ｆ１を、親指を除く４本の指又はこれらのいずれかの指とし、第２の指Ｆ２を親指として説明したが、親指を第１の指Ｆ１とし、親指を除く４本の指又はこれらのいずれかの指を第２の指Ｆ２とすることもできる。
【００２５】
さらに第３実施例では、スリット３３が変形部３０の全長に渡って直線状に形成される場合を示して説明したが、例えば略三角形状は略扇形状に開口するスリット３３としても良い。この場合、略三角形状又は略扇形状からなるスリット３３の頂点が容器本体１０側の被係止部１４よりも下方に配置する構成が好ましい。
【産業上の利用可能性】
【００２６】
本発明の蓋付き容器は、蓋体を容器本体から取り外す際の操作性を向上させる容器の分野における用途展開をさらに広い領域で図ることができる。
【符号の説明】
【００２７】
１０  ：  容器本体
１０Ａ：  開口端
１１  ：  底壁
１２  ：  容器側周壁
１３  ：  フランジ部
１４  ：  被係止部
２０  ：  蓋体
２１  ：  頂壁
２２  ：  蓋側周壁
２３  ：  段差部
２４  ：  係止部
３０  ：  変形部
３１  ：  蛇腹
３２  ：  凹部
３３  ：  スリット
Ａ    ：  頂点
ＢＣ  ：  底辺
【図１】
2019189335.tif 000003
【図２】
2019189335.tif 000004
【図３】
2019189335.tif 000005
【図４】
2019189335.tif 000006
【図５】
2019189335.tif 000007
【図６】
2019189335.tif 000008
【図７】
2019189335.tif 000009